(57)【要約】      （修正有）【課題】組み立てコストを抑え、固定不良とならず、異なる外殻の生産するための部品等の在庫の問題を解決できるテーブルタップを提供する。【解決手段】該テーブルタップは、第一開口部及び第一止め部を有する第一装着部と、第二開口部及び第二止め部を有する第二装着部と、前記第一開口部から前記第一装着部へ取り付けられる接続部及び少なくとも一つの刃受け部を有する第一導電板からなる第一導電モジュールを設ける。さらに、前記第二開口部から前記第二装着部へ取り付けられる第一接続部４１及び第二接続部５１と前記第二接続部に接続される刃受け部と前記第一接続部及び前記第二接続部の断線及び導通を制御できる制御部７８１を有する第二導電モジュールと、を設けてテーブルタップモジュールを形成する。【選択図】図３
0003171419.tif 000002
【実用新案登録請求の範囲】
【請求項１】
組み立て式テーブルタップであって、
第一開口部（１３１）及び第一止め部（１３３）を有する第一装着部（１３）と、第二開口部（１４１）及び第二止め部（１４３）を有する第二装着部（１４）と、を備えるテーブルタップモジュールと、
前記第一開口部（１３１）から前記第一装着部（１３）へ取り付けられる接続部（３１）及び少なくとも一つの刃受け部（３７、３７Ａ）を有する第一導電板（３０）からなる第一導電モジュールと、
前記第二開口部（１４１）から前記第二装着部（１４）へ取り付けられる第一接続部（４１）と、第二接続部（５１）と、前記第二接続部（５１）に接続される刃受け部（５７、５７Ａ）と、前記第一接続部（４１）及び前記第二接続部（５１）の断線及び導通を制御できる制御部（７８１）と、を有する第二導電モジュールと、
を備えることを特徴とする組み立て式テーブルタップ。
【請求項２】
前記テーブルタップモジュールの前記第一装着部（１３）と前記第二装着部（１４）は互いの反対側にあることを特徴とする請求項１に記載の組み立て式テーブルタップ。
【請求項３】
前記テーブルタップモジュールの前記第一装着部（１３）と前記第二装着部（１４）は同一側面にあることを特徴とする請求項１に記載の組み立て式テーブルタップ。
【請求項４】
前記テーブルタップモジュールは更に第三装着部（１５）を備え、前記第二導電モジュールの前記第一接続部（４１）は前記第三装着部（１５）に取り付けられることを特徴とする請求項１に記載の組み立て式テーブルタップ。
【請求項５】
前記テーブルタップモジュールは更に第三装着部（１５）を備え、前記第二導電モジュールの前記第二接続部（５１）は前記第三装着部（１５）に取り付けられることを特徴とする請求項１に記載の組み立て式テーブルタップ。
【請求項６】
前記テーブルタップモジュールの前記第三装着部（１５）と前記第二装着部（１４）は互いの反対側にあることを特徴とする請求項４または５のいずれかに記載の組み立て式テーブルタップ。
【請求項７】
前記テーブルタップモジュールの前記第三装着部（１５）と前記第二装着部（１４）は同一側面にあることを特徴とする請求項４または５のいずれかに記載の組み立て式テーブルタップ。
【請求項８】
前記テーブルタップモジュールの前記第三装着部（１５）と前記第一装着部（１３）又は前記第二装着部（１４）は同じ高さにあることを特徴とする請求項４または５のいずれかに記載の組み立て式テーブルタップ。
【請求項９】
前記テーブルタップモジュールの前記第三装着部（１５）と前記第一装着部（１３）又は前記第二装着部（１４）は異なる高さにあることを特徴とする請求項４または５のいずれかに記載の組み立て式テーブルタップ。
【請求項１０】
前記第二導電モジュールは更に、前記第一接続部（４１）に接続される第二導電板（４０）と、
前記第二接続部（５１）に接続される少なくとも一つの刃受け体（５０、５０Ａ）と、
を備えることを特徴とする請求項１に記載の組み立て式テーブルタップ。
【請求項１１】
前記第二導電モジュールは更に、少なくとも一つのスイッチモジュール（７０）と、
前記制御部（７８１）に押される第三接続部（８４）と、
を備え、前記制御部（７８１）は前記スイッチモジュール（７０）に設置されることを特徴とする請求項１に記載の組み立て式テーブルタップ。
【請求項１２】
前記テーブルタップモジュールは少なくとも一つの側面を有し、前記第一装着部（１３）又は前記第二装着部（１４）は前記側面に設けられることを特徴とする請求項１に記載の組み立て式テーブルタップ。
【請求項１３】
前記テーブルタップモジュールは少なくとも一つの底面を有し、前記第一装着部（１３）又は前記第二装着部（１４）は前記底面と平行に設けられることを特徴とする請求項１に記載の組み立て式テーブルタップ。
【請求項１４】
前記第二導電モジュールは更に、前記第一接続部（４１）及び前記第二接続部（５１）と電気的に接続される第三接続部（８４）を備えることを特徴とする請求項１に記載の組み立て式テーブルタップ。
【請求項１５】
前記テーブルタップモジュールは、主外殻（１０）と、前記主外殻（１０）に取り付けられる副外殻（２０）を備え、前記テーブルタップモジュールの前記第一止め部（１３３）又は前記第二止め部（１４３）は前記副外殻（２０）を取り付けるためにあることを特徴とする請求項１に記載の組み立て式テーブルタップ。
【考案の詳細な説明】
【技術分野】
【０００１】
本考案は、テーブルタップに関し、より詳しくは、組み立て式テーブルタップに関する。
【背景技術】
【０００２】
従来のテーブルタップは主に、第一端子板、第二端子板及び導電板を備え、更に導電片により前記導電板を接続し、２つ又は３つのプラスチック外殻により前述の構成を組み合わせることで、各構成を固定し、絶縁する。
【０００３】
しかし、上述のテーブルタップは、その組み合わせモジュールとして、２つ又は３つ以上のプラスチック外殻を必要とし、生産、在庫にかかるコストを増加させてしまう。また、組み立て工程に時間がかかり、組み立て精度は部品の安定度に影響を与え易い。
よって、従来のテーブルタップにはまだ改良の余地がある。
【考案の概要】
【考案が解決しようとする課題】
【０００４】
本考案は、各導電板及び各導電片等の全ての構成要素を１つの外殻に取り付け、テーブルタップモジュールの構造を簡略にすることを課題とする。
【課題を解決するための手段】
【０００５】
上記の課題を解決するための本考案の一つの特徴に従った組み立て式テーブルタップは、第一開口部及び第一止め部を有する第一装着部と、第二開口部及び第二止め部を有する第二装着部と、前記第一開口部から前記第一装着部へ取り付けられる接続部及び少なくとも一つの刃受け部を有する第一導電板からなる第一導電モジュールと、前記第二開口部から前記第二装着部へ取り付けられる第一接続部及び第二接続部と前記第二接続部に接続される刃受け部と前記第一接続部及び前記第二接続部の断線及び導通を制御できる制御部を有する第二導電モジュールと、を備えるテーブルタップモジュールを備える。
【考案の効果】
【０００６】
本考案によれば、組み立てコストを抑え、固定不良とならず、異なる外殻の生産するための部品等の在庫の問題を解決できるテーブルタップを提供できる。
【図面の簡単な説明】
【０００７】
【図１】本考案の実施例１に係る組み立て式テーブルタップを示す説明図
【図２】本考案の実施例１に係る組み立て式テーブルタップを示す分解図
【図３】本考案の実施例１に係る組み立て式テーブルタップを示す断面図
【図４】本考案の実施例１に係る主外殻を示す説明図
【図５】本考案の実施例２に係る主外殻を示す説明図
【図６】本考案の実施例３に係る主外殻を示す説明図
【図７】本考案の実施例４に係る主外殻を示す説明図
【図８】本考案の実施例１に係る副外殻を示す説明図
【考案を実施するための形態】
【０００８】
添付の図面を参照しながら、本考案の実施例について以下に説明する。
図１〜図４に、本考案の実施例１に係る組み立て式テーブルタップの説明図を示す。
【０００９】
本考案の組み立て式テーブルタップは、主外殻（１０）及び副外殻（２０）を横に並べて取り付けたテーブルタップモジュール（符号なし）からなる。
【００１０】
主外殻（１０）は、柱体である副外殻接続部（１２）と、第一開口部（１３１）を有する第一装着部（１３）と、第一開口部（１３１）の反対側に設けられる第二開口部（１４１）を有する第二装着部（１４）と、第三開口部（１５１）を有する第三装着部（１５）と、第一導電板支持部（１６）と、第二導電板支持部（１７）と、導電片支持部（１８１）と、貫通孔（１８３）と、を備える。
【００１１】
第一装着部（１３）は更に第一止め部（１３３）を有し、第二装着部（１４）は更に第二止め部（１４３）を有し、第三装着部（１５）は更に第三止め部（１５３）を有する。主外殻（１０）は底面と二つの側面を有し、第一装着部（１３）、第二装着部（１４）及び第三装着部（１５）は前記底面と平行になるよう前記側面に設けられる。
【００１２】
第三装着部（１５）は第一装着部（１３）又は第二装着部（１４）と同じ側面に設けられる。本実施の形態では、第三装着部（１５）は第二装着部（１４）と繋がっている。つまり、第三装着部（１５）は第二装着部（１４）の反対側に設けられる。
【００１３】
第三装着部（１５）及び第一装着部（１３）又は第二装着部（１４）は異なる高さに設けられる。
【００１４】
副外殻（２０）は、副外殻接続部（１２）に接続される穴状の主外殻接続部（２１）と、刃受け部底面（２７）と、アース導電片装着部（２９）と、刃受け部底面（２７）から上方に延伸してなる二つの止め部（２６ａ、２６ｂ）と、アース導電片装着部（２９）及び止め部（２６ａ、２６ｂ）の間に設けられる隔壁部（２８）と、を備える。
【００１５】
第一導電モジュール（符号なし）は、第一開口部（１３１）から第一装着部（１３）へ取り付けられる接続部（３１）及び複数の刃受け部（３７、３７Ａ）を有する第一導電板（３０）を備える。
【００１６】
第二導電モジュール（符号なし）は、第一接続部（４１）及び第二接続部（５１）を備える。第一接続部（４１）は第二開口部（１４１）から第二装着部（１４）に取り付けられ、第二接続部（５１）は第三開口部（１５１）から第三装着部（１５）に取り付けられる。このとき、上述のように、第三装着部（１５）は第二装着部（１４）と繋がっているので、第二接続部（５１）は、第三装着部（１５）を介して第二装着部（１４）に取り付けられることになる。前記第二導電モジュールは更に、刃受け部（５７、５７Ａ）と制御部（７８１）を備える。刃受け部（５７、５７Ａ）は第二接続部（５１）に接続され、刃受け部（５７）は第二接続部（５１）から離れた一端に設けられ、止め部（２６ａ、２６ｂ）の間に挟持される。制御部（７８１）は第一接続部（４１）及び第二接続部（５１）の導通及び断線を制御する。
【００１７】
前記第二導電モジュールは、第三接続部（８４）を有する。第三接続部（８４）は制御部（７８１）に押され、第一接続部（４１）と第二接続部（５１）を導通させる。
【００１８】
前記第二導電モジュールは更に、第一接続部（４１）に接続される第二導電板（４０）を備える。前記第二導電モジュールは複数の刃受け体（５０）を備え、第二接続部（５１）は刃受け体（５０）に設けられる。前記第二導電モジュールは更に、複数のスイッチモジュール（７０）を備える。それぞれのスイッチモジュール（７０）は、スイッチ（７１）と、スイッチ外殻（７３）と、弾性体（７５）と、制御体（７８）と、を備える。制御部（７８１）は制御体（７８）に設けられる。前記第二導電モジュールは更に、複数の導電片（８０）を備える。それぞれの導電片（８０）は導電片支持部（１８１）に取り付けられる定位部（８１）を有し、第三接続部（８４）を形成する。
【００１９】
前記テーブルタップモジュールは更に、アース導電片（９０）を備える。アース導電片（９０）は、アース導電片装着部（２９）に接続される接続部（９１）と、コンセントプラグ（図示せず）のアースを挿接する複数のアース接続部（９７）と、を有する。接続部（９１）と刃受け部（５７）は隔壁部（２８）により隔てられる。
【００２０】
図３に、本考案の実施例１に係る組み立て式テーブルタップの導通状態を表す説明図を示す。スイッチモジュール（７０）の制御体（７８）に設けられる制御部（７８１）が導電片（８０）を押さえることで、第三接続部（８４）が第二接続部（４１）及び第二接続部（５１）と同時に接触する。スイッチモジュール（７０）が逆に動作すると、第二接続部（４１）及び第二接続部（５１）は断線する。
【００２１】
本考案の組み立て構造では、第一導電板（３０）、第二導電板（４０）及び刃受け体（５０、５０Ａ）を互いに干渉することなく自由に主外殻（１０）に設置することができる。また、第一装着部（１３）、第二装着部（１４）及び第三装着部（１５）により、ショートや誤接触といった問題を回避できる。そして、第一止め部（１３３）、第二止め部（１４３）及び第三止め部（１５３）が第一導電板（３０）、第二導電板（４０）及び刃受け体（５０、５０Ａ）を固定する。このように、本考案は主外殻（１０）の組み立て構造により、非常に単純で実用的なテーブルタップを提供することができる。
【００２２】
図４〜図８に、本考案の異なる実施例に係る組み立て式テーブルタップの説明図を示す。
【００２３】
前記テーブルタップモジュールの第一装着部（１３）及び第二装着部（１４）は、同じ側面に設置することができる。
また、第一接続部（４１）は、第三開口部（１５１）から第三装着部（１５）に装着してもよい。
また、前記第三装着部（１５）及び第二装着部（１４）は互いに反対側だけでなく、同一側面に設けることもできる。
また、前記テーブルタップモジュールの第三装着部（１５）は第一装着部（１３）及び第二装着部（１４）と同じ高さに設けることができる。
【００２４】
そして、第三接続部（８４）は独立した要素（即ち、導電片（８０））であることに限らず、第三接続部（８４）を省略しスイッチモジュール（７０）の一部としてもよい。また、第二導電板（４０）又は刃受け体（５０）と組み合わせ、若しくは一体としてもよい。
【００２５】
更に、第一止め部（１３３）、第二止め部（１４３）及び第三止め部（１５３）は、副外殻（２０）によって取って代わってもよい。即ち、副外殻（２０）は第一止め部（１３３）又は第二止め部（１４３）を含む構造であってよい。前記テーブルタップモジュールは更に主外殻（１０）及び／又は副外殻（２０）を取り付け可能な外殻（図示せず）を備えてもよい。また、前記外殻も第一止め部（１３３）、第二止め部（１４３）及び第三止め部（１５３）に取って代わることができる。
【００２６】
アース導電片（９０）はアースを必要としない際は無くてもよい。副外殻（２０）はあってもなくてもよい。
【００２７】
本考案によれば、全ての構成要素を同一のモジュール内に取り付け、多くの構成要素を必要とせず、組み立てコストを抑え、固定不良とならず、異なる外殻を生産するための部品等の在庫の問題を解決できるテーブルタップを提供できる。
【００２８】
上述において、本考案の説明の利便性のために最良の実施例を挙げて説明したが、これらの実施例は本考案の請求の範囲を限定するものではなく、本考案に基づく本考案の要旨を逸脱しないあらゆる変更は本考案の請求の範囲に含まれる。
【産業上の利用可能性】
【００２９】
以上のように、本考案にかかる組み立て式テーブルタップは、組み立てコストを抑え固定不良とならず、異なる外殻の生産するための部品等の在庫問題を解決できるという効果を有し、テーブルタップ等として有用である。
【図１】
0003171419.tif 000003
【図２】
0003171419.tif 000004
【図３】
0003171419.tif 000005
【図４】
0003171419.tif 000006
【図５】
0003171419.tif 000007
【図６】
0003171419.tif 000008
【図７】
0003171419.tif 000009
【図８】
0003171419.tif 000010